(57)【特許請求の範囲】
【請求項１】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする閃光装置。
【請求項２】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行い、且つ前記電圧加算用コンデンサの充電電圧を次回の発光開始動作に応答して動作して前記メインコンデンサの充電電圧に重畳して前記閃光管の両端に印加する電圧印加手段を有することを特徴とする閃光装置。
【請求項３】
メインコンデンサと、前記メインコンデンサの正極に対して正極が接続される閃光管と、前記閃光管の負極に接続される第１制御素子を設け、該第１制御素子を繰返しオンオフさせることで繰返し発光を行う通信光発光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする通信光発光装置。
【請求項４】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う通信光発光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行い、且つ前記電圧加算用コンデンサの充電電圧を次回の発光開始動作に応答して動作して前記メインコンデンサの充電電圧に重畳して前記閃光管の両端に印加する電圧印加手段を有することを特徴とする通信光発光装置。
【請求項５】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子と、前記電圧加算用コンデンサの一方の極と前記メインコンデンサの正極との間に接続される第３制御素子と、前記第３制御素子のオンオフ動作を制御する動作制御手段とを設け、前記第３制御素子がオンの時前記電圧加算用コンデンサに対しての初回の充電を前記第３制御素子を介して行い、前記第３制御素子がオフの時前記電圧加算用コンデンサに対しての初回の充電を初回の閃光発光動作終了時点の前記第１制御素子のオフ動作によりイオン化状態にある前記閃光管並びにダイオードを介して行い、前記電圧加算用コンデンサが充電された以降は前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする閃光装置。
【請求項６】
前記動作制御手段は、前記閃光管の発光動作を開始させるために供給される発光起動信号に応答して第３制御素子を、電圧加算用コンデンサの前記第３制御素子を介しての充電を十分に完了することができる所定期間オンさせる第１動作状態と、前記第３制御素子をオンさせない第２動作状態を選択して設定する請求項５に記載の閃光装置。
【請求項７】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う通信光発光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子と、前記電圧加算用コンデンサの一方の極と前記メインコンデンサの正極との間に接続される第３制御素子と、前記第３制御素子のオンオフ動作を制御する動作制御手段とを設け、前記第３制御素子がオンの時前記電圧加算用コンデンサに対しての初回の充電を前記第３制御素子を介して行い、前記第３制御素子がオフの時前記電圧加算用コンデンサに対しての初回の充電を初回の閃光発光動作終了時点の前記第１制御素子のオフ動作によりイオン化状態にある前記閃光管並びにダイオードを介して行い、前記電圧加算用コンデンサが充電された以降は前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする通信光発光装置。
【請求項８】
前記動作制御手段は、前記閃光管の発光動作を開始させるために供給される発光起動信号に応答して第３制御素子を、電圧加算用コンデンサの前記第３制御素子を介しての充電を十分に完了することができる所定期間オンさせる第１動作状態と、前記第３制御素子をオンさせない第２動作状態を選択して設定する請求項７に記載の通信光発光装置。
【発明の詳細な説明】
【０００１】
【発明の属する技術分野】
本発明は、光源としてガラス管内部にキセノン等の稀ガスを封入した閃光管を内蔵し、この閃光管の高速繰り返し発光を撮影のための照明手段として使用するだけでなく、他の機器の動作制御用の通信信号光として使用する遠隔操作用の閃光装置および通信光発光装置に関する。
【０００２】
【従来の技術】
従来より、ガラス管内部にキセノン等の稀ガスを封入した閃光管は、写真撮影の際に被写体を照明する閃光装置の光源として使用されており、また前記閃光管を高速で繰返し発光させる閃光装置も提案されている。
【０００３】
このような閃光装置としては、特開平４−１９２２９８号公報等があり、図４に示したように、例えば不図示の直流低圧電源としての電池，不図示のＤＣ／ＤＣコンバータ回路により構成される直流高圧電源１と、この直流高圧電源１の両端に接続されたメインコンデンサ２と、メインコンデンサ２の両端に接続された閃光管３と、メインコンデンサ２の充電電荷を消費して行われる閃光管３の発光動作を制御する例えば絶縁ゲート型バイポーラトランジスタである第１制御素子５とダイオード４との直列体と、後述するトリガ回路並びに第１制御素子５の動作を制御して閃光管３の発光動作を制御する発光制御回路６と、閃光管３を励起するトリガ回路を構成する抵抗７と、トリガコンデンサ８と、トリガトランス９および閃光管３の発光開始動作時に閃光管３の両端電位を昇圧するいわゆる倍電圧回路を形成する電圧加算用コンデンサ１０と、ダイオード１１と、抵抗１２，１３，１４と、例えばトランジスタである第２制御素子１５とを備えた閃光装置が開示されている。
【０００４】
この閃光装置において、直流高圧電源１が動作を開始すると、メインコンデンサ２は勿論、トリガコンデンサ８が抵抗７を介して、また電圧加算用コンデンサ１０も抵抗７、ダイオード１１を介して夫々同電圧値まで充電される。
【０００５】
前記メインコンデンサ２等の充電がなされた状態において、発光制御回路６により第１制御素子５をオンすると、トリガコンデンサ８の充電電荷がこの第１制御素子５、トリガトランス９を介して放電されると同時に、電圧加算用コンデンサ１０の充電電荷も第１制御素子５、抵抗１２、１３を介して放電される。
【０００６】
したがって、閃光管３はトリガトランス９に誘起されるトリガ電圧にて励起され、同時にトランジスタである第２制御素子１５がオン状態になり、閃光管３の両端に電圧加算用コンデンサ１０の充電電圧が第１制御素子５、メインコンデンサ２、抵抗１４、第２制御素子１５のループで印加される。
【０００７】
すなわち、閃光管３の両端に、電圧加算用コンデンサ１０とメインコンデンサ２の充電電圧とを重畳したメインコンデンサ２の充電電圧値の約２倍の高電圧が印加されることになり、閃光管３は、かかる閃光管３の両端電位を高電圧に昇圧する動作を経てメインコンデンサ２の充電電荷を消費した発光動作を行う。
【０００８】
次いで、閃光管３の発光動作途上において、発光制御回路６により第１制御素子５をオフすると、メインコンデンサ２の充電電荷の供給が遮断されるため、閃光管３は発光動作を停止する。
【０００９】
しかし、これ以降において、閃光管３は光は発しないが管内には内部ガスが電離した状態にあり、閃光管３を介してある程度の電流を流すことができる、いわゆるイオン化状態を経て、内部ガスが電離状態になく安定状態にある初期状態に復帰する。
【００１０】
この閃光管３の初期状態への復帰過程において、イオン化状態の閃光管３、ダイオード４、トリガコンデンサ８、あるいは電圧加算用コンデンサ１０、ダイオード１１を介して電流が流れ、これによりトリガコンデンサ８と電圧加算用コンデンサ１０が急速充電され、以降、第１制御素子５のオンオフ動作に応答して上述したような動作が繰返される。
【００１１】
【発明が解決しようとする課題】
上記従来の閃光装置は、電圧加算用コンデンサ１０等の構成により、常に閃光管３の両端電位を高電圧に昇圧した状態で発光動作を行えることから、高速繰り返し発光動作時における閃光管の発光動作自体については確実な動作となる。
【００１２】
しかしながら、高速繰返し発光時における閃光管３の発光光量、発光波形については、初回と２回目以降の発光動作においてバラツキを生じ、上述した閃光管の高速繰り返し発光を、遠隔操作用の閃光装置や通信光発光装置における他の機器の動作制御用の通信信号光として使用する場合、当該信号光を受光する受光動作に上記バラツキに起因する誤動作を生じる虞れがあった。
【００１３】
通常、初回発光動作はメインコンデンサ２等の充電が完了し、電圧加算用コンデンサ１０、トリガコンデンサ８共にメインコンデンサ２の充電完了電圧と同電圧まで充電された状態で行われる。
【００１４】
具体的には、第１制御素子５のオンによる閃光管３の発光動作は、メインコンデンサ２の充電完了電圧と同電圧まで充電されているトリガコンデンサ８の放電によるトリガ電圧の供給、並びにその両端電位のメインコンデンサ２の充電完了電圧の２倍の高電圧への昇圧動作を経て行われる。
【００１５】
したがって、閃光管３は充分に励起され、かつその両端電位が充分に昇圧された状態で発光動作を行うことからその発光立上がり特性は急峻な特性となる。
【００１６】
これに対し、２回目以降の発光動作は、電圧加算用コンデンサ１０、トリガコンデンサ８の充電電圧が初回発光動作時におけるメインコンデンサ２の充電完了電圧よりも、前回発光動作を行った閃光管３の発光終始電圧分低下した状態で行われ、トリガコンデンサ８の放電によるトリガ電圧供給動作、並びにその両端電位の昇圧動作共、初回発光動作時における動作よりも閃光管３の発光開始動作に対する寄与状態が悪くなることによる。つまり、初回発光動作時より低いトリガ電圧、低い昇圧値により２回目以降の発行動作が行われるため、２回目以降の発光動作における発光立上がり特性は緩やかな特性となる。
【００１７】
すなわち、上述したような高速繰返し発光動作における初回発光動作時と２回目以降の発光動作時の発光波形は、上述した発光立上がり特性の差異により、初回より２回目以降のピーク波高値が低い異なる発光波形となる。勿論、１回目と２回目以降における発光光量についても差異が生じることになる。
【００１８】
この発光波形の差異は、上述したような閃光管３の高速繰り返し発光動作における各回発光を、例えばその発光回数や発光タイミングに意味をもたせて他の機器の動作を制御する信号光、いわゆる遠隔操作用の閃光装置における動作制御用の通信信号光として使用する場合、当該信号光の受光動作に影響を及ぼす。
【００１９】
すなわち、動作制御用の通信信号光の受光動作は、例えば受光強度が所定レベルを越えたことを検知するような受光した信号光の受光強度判定により行われ、このため信号光としてピーク波高値の異なる発光波形の発光が供給された場合、上記所定レベルの設定状態によっては異なる発光であることを区別できなくなる不都合を生じる虞がある。
【００２０】
例えば、通信信号光を受光しての受光動作を遠距離まで行えるように先の所定レベルを低く設定することにより、受光感度を高感度にすると、逆に近距離時において初回発光動作による発光の受光動作が充分に終了できていない状態で２回目の発光動作による受光動作が開始されることが考えられる。
【００２１】
このような場合、初回発光動作と２回目の発光動作とによる発光を別個の発光として互いに区別できなくなる。
【００２２】
したがって、閃光装置の上記初回発光動作等による発光を通信信号光として利用できない不都合を生じることになる。
【００２３】
本出願に係る第１の発明の目的は、高速繰返し発光動作時における初回発光動作と２回目以降の発光動作による発光にバラツキのない閃光装置を提供しようとするものである。
【００２４】
本出願に係る第２の発明の目的は、高速繰返し発光動作時における初回発光動作と２回目以降の発光動作による発光にバラツキのない通信光発光装置を提供しようとするものである。
【００２５】
【課題を解決するための手段】
本出願に係る第１の発明による閃光装置の一つの構成は、メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うようにしたものである。
【００２６】
すなわち、発光動作終了過程におけるイオン化状態の閃光管を介してのみ充電される電圧加算用コンデンサと、前記電圧加算用コンデンサの充電電圧を次回の発光開始動作に応答して動作してメインコンデンサの充電電圧に重畳して上記閃光管の両端に印加する電圧印加手段を備えて構成したものである。
【００２７】
これにより、閃光管の両端電位をメインコンデンサの充電電圧以上の値に昇圧する昇圧動作を、初回発光動作時には行わずに、２回目の発光動作以降にのみ行うことができ、この結果、高速繰返し発光動作時における初回発光動作と２回目以降の発光動作による発光波形を、緩やかな立上がり特性を有するとともに発光光量にバラツキのない発光特性が略等しい発光波形に制御できた閃光装置を得ることができる。
【００２８】
本出願に係る第２の発明による通信光発光装置の一つの構成は、メインコンデンサと、前記メインコンデンサの正極に対して正極が接続される閃光管と、前記閃光管の負極に接続される第１制御素子を設け、前記第１制御素子を繰返しオンオフさせることで繰返し発光を行う通信光発光装置において、前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うようにしたものである。
【００２９】
すなわち、発光動作終了過程におけるイオン化状態の閃光管を介してのみ充電される電圧加算用コンデンサと、前記電圧加算用コンデンサの充電電圧を次回の発光開始動作に応答して動作してメインコンデンサの充電電圧に重畳して上記閃光管の両端に印加する電圧印加手段を備えて構成したものである。
【００３０】
これにより、閃光管の両端電位をメインコンデンサの充電電圧以上の値に昇圧する昇圧動作を、初回発光動作時には行わずに、２回目の発光動作以降にのみ行うことができ、この結果、高速繰返し発光動作時における初回発光動作と２回目以降の発光動作による発光波形を、緩やかな立上がり特性を有する発光光量にバラツキのない略等しい発光波形に制御できた通信光発光装置を得ることができる。
【００３１】
本出願に係る第１の発明による閃光装置の他の構成は、メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子と、前記電圧加算用コンデンサの一方の極と前記メインコンデンサの正極との間に接続される第３制御素子と、前記第３制御素子のオンオフ動作を制御する動作制御手段とを設け、前記第３制御素子がオンの時前記電圧加算用コンデンサに対しての初回の充電を前記第３制御素子を介して行い、前記第３制御素子がオフの時前記電圧加算用コンデンサに対しての初回の充電を初回の閃光発光動作終了時点の前記第１制御素子のオフ動作によりイオン化状態にある前記閃光管並びにダイオードを介して行い、前記電圧加算用コンデンサが充電された以降は前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うようにしたものである。
【００３２】
すなわち、未充電状態からの充電となる初回充電動作が、第３制御素子、あるいは発光動作終了過程におけるイオン化状態の閃光管を介して行われる電圧加算用コンデンサと、前記電圧加算用コンデンサの充電電圧を発光開始動作に応答してメインコンデンサの充電電圧に重畳して上記閃光管の両端に印加する電圧印加手段を備えて構成したものである。
【００３３】
これにより、閃光管の両端電位をメインコンデンサの充電電圧以上の値に昇圧する昇圧動作を、初回発光動作前に行うか、あるいは初回発光動作時には行わずに２回目の発光動作以降にのみ行うかを選択することができ、この結果、２回目の発光動作以降の昇圧動作を選択することにより高速繰返し発光動作時における初回発光動作と２回目以降の発光動作による発光波形を、緩やかな立上り特性を有する発光光量にバラツキのない略等しい発光波形に制御できた閃光装置を得ることができる。
【００３４】
本発明に係る第２の発明による通信光発光装置の他の構成は、メインコンデンサと、前記メインコンデンサの正極に対して正極が接続される閃光管と、前記閃光管の負極に接続される第１制御素子を設け、前記第１制御素子を繰返しオンオフさせることで繰返し発光を行う通信光発光装置において、前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子と、前記電圧加算用コンデンサの一方の極と前記メインコンデンサの正極との間に接続される第３制御素子と、前記第３制御素子のオンオフ動作を制御する動作制御手段とを設け、前記第３制御素子がオンの時前記電圧加算用コンデンサに対しての初回の充電を前記第３制御素子を介して行い、前記第３制御素子がオフの時前記電圧加算用コンデンサに対しての初回の充電を初回の閃光発光動作終了時点の前記第１制御素子のオフ動作によりイオン化状態にある前記閃光管並びにダイオードを介して行い、前記電圧加算用コンデンサが充電された以降は前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うようにしたものである。
【００３５】
すなわち、未充電状態からの充電となる初回充電動作が、第３制御素子、あるいは発光動作終了過程におけるイオン化状態の閃光管を介して行われる電圧加算用コンデンサと、前記電圧加算用コンデンサの充電電圧を発光開始動作に応答してメインコンデンサの充電電圧に重畳して上記閃光管の両端に印加する電圧印加手段を備えて構成したものである。
【００３６】
これにより、閃光管の両端電位をメインコンデンサの充電電圧以上の値に昇圧する昇圧動作を、初回発光動作前に行うか、あるいは初回発光動作時には行わずに２回目の発光動作以降にのみ行うかを選択することができ、この結果、２回目の発光動作以降の昇圧動作を選択することにより高速繰返し発光動作時における初回発光動作と２回目以降の発光動作による発光波形を、緩やかな立上り特性を有する発光光量にバラツキのない略等しい発光波形に制御できた通信光発光装置を得ることができる。
【００３７】
【発明の実施の形態】
（第１の実施の形態）
図１は本発明の第１の実施の形態を示す。
【００３８】
図１は閃光装置の要部電気回路図を示す。なお、図１の回路は通信光発光装置としても用いることができるものである。また、図１中、図４と同符号の要素は同一機能要素を示している。
【００３９】
本実施の形態において、図４に示す従来例と異なる点は、閃光管３の負極にダイオード４を介して一方の極を接続し、他方の極を抵抗１３、１２を介してメインコンデンサ２の負極に接続した電圧加算用コンデンサ１６と、この電圧加算用コンデンサ１６のダイオード４と接続される一方の極と第１制御素子５との間に第２ダイオード１７とを有し、さらに図４に示す従来の閃光装置においてはダイオード４と第１制御素子５との接続点に接続されていた抵抗７とトリガコンデンサ８との接続点を、第２ダイオード１７と第１制御素子５との接続点に接続している点である。
【００４０】
上記した構成の本実施の形態において、直流高圧電源１が動作を開始すると、メインコンデンサ２とトリガコンデンサ８については前述のように夫々同電圧まで充電されるが、電圧加算用コンデンサ１６については充電ループが形成されないことから未充電状態に維持される。
【００４１】
したがって、閃光管３は、第１制御素子５のオンにより初回の発光動作が開始されると、トリガコンデンサ８の放電によるトリガ動作により励起され、これによりメインコンデンサ２の充電電荷を消費して発光することになる。
【００４２】
すなわち、本実施の形態における初回の発光動作は、電圧加算用コンデンサ１６が未充電状態であることから、この電圧加算用コンデンサ１６による閃光管３の両端電位の昇圧動作が行われることなく行われ、トリガ電圧の供給と閃光管３の両端電位の昇圧という両動作を経て行われていた図４の従来の閃光装置とは異なり、トリガコンデンサ８によるトリガ動作のみにより行われることになる。
【００４３】
このため、本実施の形態における初回の発光開始動作は、図４の従来の閃光装置における閃光管３が充分に励起されると共に、その両端電位が充分に昇圧された状態で行われる初回の発光開始動作に比較して抑制された状態で行われることになる。
【００４４】
その結果、本実施の形態における初回の発光動作による閃光管３の発光波形は、図４の従来の閃光装置における初回発光動作の場合のような急峻な発光立上がり特性を有するピーク波高値の高い発光波形とはならず、抑制された緩やかな立上がり特性を有するピーク波高値の低い発光波形となる。
【００４５】
一方、閃光管３の上述のような発光動作途上において、第１制御素子５をオフすると、図４の従来の閃光装置でも説明したように、閃光管３は発光動作を停止し、以降、イオン化状態を経て初期状態に復帰、あるいは復帰しようとする。
【００４６】
したがって、この閃光管３の初期状態への復帰過程において、イオン化状態の閃光管３、ダイオード４、電圧加算用コンデンサ１６、ダイオード１１、あるいはイオン化状態の閃光管３、ダイオード４、ダイオード１７、トリガコンデンサ８を介して電流が流れ、図４の従来の閃光装置と同様、電圧加算用コンデンサ１６とトリガコンデンサ８が急速充電されることになる。
【００４７】
本実施の形態における電圧加算用コンデンサ１６は、図４の従来の閃光装置とは異なり、発光動作終了過程におけるイオン化状態の閃光管３を介してのみ充電されるので、初回の発光動作後に初めて充電されることになる。
【００４８】
なお、この電圧加算用コンデンサ１６等の充電電圧は、メインコンデンサ２の充電完了電圧より閃光管３の発光終始電圧分低下した電圧となる。
【００４９】
かかる状態において、第１制御素子５がオンして２回目の発光動作が開始されると、今回は電圧加算用コンデンサ１６が充電されていることから、初回の発光動作とは異なり、閃光管３はトリガコンデンサ８の放電によるトリガ動作と電圧加算用コンデンサ１６による昇圧動作の両動作を経て発光動作を行うことになる。
【００５０】
この電圧加算用コンデンサ１６による昇圧動作は、２回目の発光動作において初めて行われる。
【００５１】
具体的には、第１制御素子５のオン時における電圧加算用コンデンサ１６のダイオード１７、第１制御素子５、抵抗１２、１３を介した放電による第２制御素子１５のオンにより、電圧加算用コンデンサ１６の上記メインコンデンサ２の充電完了電圧よりも低い充電電圧が、ダイオード１７、第１制御素子５、メインコンデンサ２、抵抗１４、第２制御素子１５のループで閃光管３の両端に印加されることにより行われる。
【００５２】
すなわち、本実施の形態においては、上記ダイオード１７、第２制御素子１５等からなる構成が、発光動作終了過程におけるイオン化状態の閃光管３を介してのみ充電される電圧加算用コンデンサ１６の充電電圧を、次回の発光開始動作に応答し動作してメインコンデンサ２の充電電圧に重畳させ、閃光管３の両端に印加する電圧印加手段を形成している。
【００５３】
ところで、上述した説明から明らかではあるが、この本実施の形態における２回目の発光動作自体の内容は、図４の従来の閃光装置における２回目の発光動作自体の内容と同一の動作となる。
【００５４】
したがって、かかる２回目の発光動作における発光立上がり特性は、図４の従来の閃光装置における２回目の発光動作と同様の緩やかな特性となり、発光波形はピーク波高値の低い発光波形となる。
【００５５】
以降、本実施の形態においては、第１制御素子５のオフオン動作に応答して上述したような２回目の発光動作と同様の動作が繰返される。
【００５６】
ここで、図４の従来の閃光装置と本実施の形態において初回発光動作と２回目以降の発光動作によって得られる発光波形について詳細に見てみると、２回目以降の発光動作によって得られる発光波形については、両者共、緩やかな立上がり特性を有するピーク波高値の低い等しい発光波形となる。
【００５７】
しかしながら、初回の発光動作によって得られる発光波形については、図４の従来の閃光装置では、その２回目以降の発光動作によって得られる発光波形とは大きな差異を有する急峻な立上がり特性を有するピーク波高値の高い発光波形となっていたのに対し、本実施の形態においては緩やかな立上がり特性を有するピーク波高値の低い発光波形となる。
【００５８】
すなわち、本実施の形態においては、初回あるいは２回目以降のいずれの発光動作においても、その発光波形を緩やかな立上がり特性を有するピーク波高値の低い発光波形に制御でき、さらにその発光波形自体も、互いに略等しい発光波形に制御されることが本願出願人において確認されている。
【００５９】
したがって、本実施の形態によれば、例えば高速繰返し発光動作による各回発光を光通信用の信号光として使用するような場合においても、各回発光の発光波形を発光光量にバラツキが発生しない発光特性が略等しい発光波形とできることから、当該信号光を受光するための受光動作を安定して行うことができる。
【００６０】
上記した実施の形態の閃光装置は、例えば写真撮影を行うための照明手段のみならず、閃光装置を搭載したカメラシステム間での遠隔操作用のための通信光として使用することができる。
【００６１】
また、上記した図１に示す閃光装置の回路構成を、光通信のための通信光発光装置としても使用することができる。
【００６２】
以上述べてきたように、本発明は、周知構成においてはトリガ電圧の印加動作と閃光管の両端電位の昇圧動作による発光開始動作によって急峻な立上がり特性を有し、ピーク波高値の高い２回目以降の発光波形と大きな差異を生じていた初回の発光動作を、トリガ電圧の印加動作のみで閃光管の両端電位の昇圧動作を行わない閃光管の発光開始動作を抑制した状態での初回の発光動作とすることにより、当該初回発光動作によって得られる発光の発光波形の立上がり特性を抑制してピーク波高値を低下させ、これにより、当該初回の発光動作時に得られる発光の発光波形を、２回目以降の緩やかな立上がり特性を有しピーク波高値の低い発光波形と略等しい発光波形となるように制御したものである。
【００６３】
（第２の実施の形態）
図２、図３は本発明の第２の実施の形態を示す。
【００６４】
図２は本発明の第２の実施の形態である閃光装置の要部電気回路図であり、図３は図２に示した実施の形態の動作状態を説明するための信号波形図を示している。なお、図２の回路は通信光発光装置としても用いることができるものである。本実施の形態は、例えば電池である直流低圧電源とＤＣ／ＤＣコンバータ回路とから構成される直流高圧電源１の両端に接続されたメインコンデンサ２、該メインコンデンサ２の両端に接続された閃光管３と第１、第２ダイオード４，１７と閃光管３のメインコンデンサ２の充電電荷を消費しての発光動作を制御する例えば絶縁ゲート型バイポーラトランジスタである第１制御素子５との直列体を備えて構成されている。
【００６５】
また、後述するトリガ回路並びに第１制御素子５の動作を制御して閃光管３の発光動作を制御する発光制御回路６、閃光管３を励起するトリガ回路を構成する抵抗７、トリガコンデンサ８、トリガトランス９を備えている。
【００６６】
さらに、閃光管３の発光開始動作時に閃光管３の両端電位を昇圧するいわゆる倍電圧回路を形成する、一方の極が閃光管３の負極に第１ダイオード４を介して接続され、他方の極が抵抗１３、１２を介してメインコンデンサ２の負極に接続された電圧加算用コンデンサ１６、ダイオード１１、抵抗１２、１３、１４、例えばトランジスタである第２制御素子１５とを備えて構成されている。
【００６７】
さらに加えて、閃光管３と第１ダイオード４からなる直列体と並列接続された抵抗１８と例えばトランジスタである第３制御素子１９とからなる直列体、第３制御素子１９のオンオフ動作を制御する動作制御手段２０を構成する抵抗２１、スイッチ素子２２、駆動制御回路２３、および第２ダイオード１７と第１制御素子５からなる直列体と並列接続され、電圧加算用コンデンサ１６の充電電荷を徐々に放出するための抵抗２４とを含んで構成されている。
【００６８】
なお、動作制御手段２０は、本実施の形態においては、閃光管３の発光動作を開始させるために例えばカメラから供給される発光起動信号、いわゆるシンクロ接点信号に応答して第３制御素子１９を、電圧加算用コンデンサ１６の第３制御素子１９を介しての充電を十分に完了することができる所定期間オンさせる第１動作状態と、第３制御素子１９をオンさせない第２動作状態とを選択して設定できるように構成されている。例えば第１動作状態の設定時には、上記発光起動信号に応答して上述した所定期間スイッチ素子２２をオンさせる駆動制御信号を出力し、第２動作状態の設定時には駆動制御回路２３は何等の出力信号も出力せずにスイッチ素子２２をオフ状態に維持するように構成されている。
【００６９】
上記構成からなる本実施の形態において直流高圧電源１が動作を開始すると、メインコンデンサ２はもちろん、トリガコンデンサ８が抵抗７を介して同電圧値まで充電される。
【００７０】
今、動作制御手段２０が先に述べたような第１動作状態を選択し、かつ発光起動信号がメインコンデンサ２等の充電動作時において供給されないとすると、動作制御手段２０が第３制御素子１９をオンさせることはなく、よって電圧加算用コンデンサ１６については充電ループが形成されず未充電状態に維持される。
【００７１】
上記メインコンデンサ２等の充電がなされた状態において、図３（ａ）に示したように、時点Ｔ１において閃光管３を初回発光動作させるべく例えばカメラより発光起動信号、いわゆるシンクロ接点信号が供給されると、動作制御手段２０が動作を開始してスイッチ素子２２を前述したような所定期間Ｔ中オンさせ、これにより第３制御素子１９が図３（ｃ）に示したように同期間Ｔ中オンする。
【００７２】
第３制御素子１９がオンすると、この第３制御素子１９および抵抗１８、ダイオード１１を介して電圧加算用コンデンサ１６の充電ループが形成され、これにより電圧加算用コンデンサ１６は図３（ｄ）に示したように時点Ｔ１より充電完了電圧値Ｖｔまで十分に充電される。
【００７３】
上記所定期間Ｔの経過後の時点Ｔ２において図３（ｂ）に示したように発光制御回路６により第１制御素子５をオンすると、トリガコンデンサ８の充電電荷がこの第１制御素子５、トリガトランス９を介して放電されると同時に、上述のような動作制御手段２０の動作に基づいて充電されていた電圧加算用コンデンサ１６の充電電荷も第２ダイオード１７、第１制御素子５、抵抗１２、１３を介して放電される。
【００７４】
よって閃光管３はトリガトランス９に誘起されるトリガ電圧にて励起され、同時にトランジスタである第２制御素子１５がオン状態となり閃光管３の両端に電圧加算用コンデンサ１６の充電電圧が第２ダイオード１７、第１制御素子５、メインコンデンサ２、抵抗１４、第２制御素子１５のループで印加される。
【００７５】
すなわち、閃光管３の両端に、電圧加算用コンデンサ１６とメインコンデンサ２の充電電圧とを重畳したメインコンデンサ２の充電電圧値の約２倍の高電圧が印加されることになり、閃光管３は、その両端電位を高電圧に昇圧する動作を経てメインコンデンサ２の充電電荷を消費した初回発光動作を行う。
【００７６】
次いで、閃光管３の発光動作途上の時点Ｔ３において発光制御回路６により第１制御素子５をオフすると、メインコンデンサ２の充電電荷の供給が遮断されるため、閃光管３は初回発光動作を停止する。
【００７７】
しかし、これ以降において、閃光管３は光は発しないが管内には内部ガスが電離した状態にあり、閃光管３を介してある程度の電流を流すことができる、いわゆるイオン化状態を経て、内部ガスが電離状態になく安定状態にある初期状態に復帰する。
【００７８】
この閃光管３の初期状態への復帰過程において、イオン化状態の閃光管３、第１ダイオード４、電圧加算用コンデンサ１６、ダイオード１１、あるいはイオン化状態の閃光管３、第１ダイオード４、第２ダイオード１７、トリガコンデンサ８を介して電流が流れ、これにより電圧加算用コンデンサ１６とトリガコンデンサ８が急速充電され、以降、図３（ｂ）、（ｄ）に時点Ｔ４、Ｔ５で示したように第１制御素子５のオンオフ動作に応じて上述したような動作が繰返される。
【００７９】
以上述べたように、動作制御手段２０が第１動作状態を選択している時、本実施の形態は電圧加算用コンデンサ１６等の構成により初回発光動作から常に閃光管３の両端電位を高電圧に昇圧した状態で発光動作を行えることになり、より確実な閃光管３の発光起動動作を期待できる。
【００８０】
一方、動作制御手段２０が第２動作状態を選択すると、先にも述べたように本実施の形態においては発光起動信号の供給の有無にかかわらず第３制御素子１９がオンされることはない。
【００８１】
したがって、今、動作の対比上図３を用いて説明するが、同図（ａ）に示したように直流高圧電源１が動作を開始してメインコンデンサ２とトリガコンデンサ８の両者が夫々未充電状態から充電された状態における時点Ｔ６において閃光管３を初回発光動作させるべく例えばカメラより発光起動信号、いわゆるシンクロ接点信号が供給されたとしても、図３（ｃ）に示したように第３制御素子１９がオンすることはなく、よって電圧加算用コンデンサ１６については充電ループが形成されることはなく未充電状態に維持される。
【００８２】
発光起動信号が供給されてから所定時間Ｔを経過した後の時点Ｔ７において図３（ｂ）に示したように発光制御回路６により第１制御素子５がオンされると、閃光管３は、第１制御素子５を介してのトリガコンデンサ８の放電によるトリガ動作により励起され、これによりメインコンデンサ２の充電電荷を消費して発光することになる。
【００８３】
すなわち、本実施の形態において動作制御手段２０が第２動作状態を選択した場合の初回発光動作は、電圧加算用コンデンサ１６が未充電状態であることからこの電圧加算用コンデンサ１６による閃光管３の両端電位の昇圧動作が行われることなく行われ、トリガ電圧の供給と閃光管３の両端電位の昇圧という両動作を経て行われていた先の動作制御手段２０が第１動作状態を選択した場合とは異なり、トリガコンデンサ８によるトリガ電圧の供給動作のみにより行われる。
【００８４】
このため、動作制御手段２０が第２動作状態を選択した場合の本実施の形態における初回発光開始動作は、先の動作制御手段２０が第１動作状態を選択した場合における閃光管３が充分に励起された、かつその両端電位が充分に昇圧された状態での初回発光開始動作に比して抑制された状態で行われることになる。
【００８５】
その結果、動作制御手段２０が第２動作状態を選択した場合の発光波形は、動作制御手段２０が第１動作状態を選択した場合の初回発光動作のような急峻な発光立上り特性を有するピーク波高値の高い発光波形とはならず、抑制された緩やかな立上り特性を有するピーク波高値の低い発光波形となる。
【００８６】
なお、閃光管３の上述のような発光動作途上の時点Ｔ８において第１制御素子５をオフすると、先の場合同様、閃光管３は発光動作を停止し、以降、イオン化状態を経て初期状態に復帰、あるいは復帰しようとする。
【００８７】
したがって、この閃光管３の初期状態への復帰過程において、イオン化状態の閃光管３、第１ダイオード４、電圧加算用コンデンサ１６、ダイオード１１を介して電流が流れ、これにより先の場合と同様、図３（ｄ）の時点Ｔ８以降に示したように電圧加算用コンデンサ１６は急速充電されることになる。
【００８８】
なお、この時イオン化状態の閃光管３、第１ダイオード４、第２ダイオード１７、トリガコンデンサ８を介して電流が流れ、これによりトリガコンデンサ８が急速充電されることも先の場合と同様である。
【００８９】
すなわち、動作制御手段２０が第２動作状態を選択した場合、電圧加算用コンデンサ１６は、先の動作制御手段２０が第１動作状態を選択していた場合とは異なり、発光動作終了過程におけるイオン化状態の閃光管３を介してのみ充電されるので、初回の発光動作後に初めて充電されることになる。
【００９０】
また、この電圧加算用コンデンサ１６等の充電電圧は、メインコンデンサ２の充電完了電圧より閃光管３の発光終始電圧分低下した電圧となる。
【００９１】
かかる状態において第１制御素子５がオンして２回目の発光動作が開始されると、今回は電圧加算用コンデンサ１６が充電されていることから、初回発光動作とは異なり、閃光管３はトリガコンデンサ８の放電によるトリガ動作と電圧加算用コンデンサ１６による昇圧動作の両動作を経て発光動作を行うことになる。
【００９２】
この電圧加算用コンデンサ１６による昇圧動作は２回目の発光動作において初めて行われ、具体的には第１制御素子５のオン時における電圧加算用コンデンサ１６の第２ダイオード１７、第１制御素子５、抵抗１２、１３を介した放電による第２制御素子１５のオンにより、電圧加算用コンデンサ１６の上記メインコンデンサ２の充電完了電圧よりも低い充電電圧が、第２ダイオード１７、第１制御素子５、メインコンデンサ２、抵抗１４、第２制御素子１５のループで閃光管３の両端に印加されることにより行われる。
【００９３】
すなわち、動作制御手段２０が第２動作状態を選択した場合の本実施の形態においては、上記第２ダイオード１７、第２制御素子１５等からなる構成が、発光動作終了過程におけるイオン化状態の閃光管３を介してのみ充電される電圧加算用コンデンサ１６の充電電圧を次回の発光開始動作に応答して動作してメインコンデンサ２の充電電圧に重畳して閃光管３の両端に印加する電圧印加手段を形成している。
【００９４】
ところで、上述した説明から明らかではあるが、動作制御手段２０が第２動作状態を選択した場合における本実施の形態の２回目の発光動作自体の内容は、先の動作制御手段２０が第１動作状態を選択した場合における２回目の発光動作自体の内容と同一の動作となる。
【００９５】
したがって、かかる２回目の発光動作における発光立上り特性は、先の動作制御手段２０が第１動作状態を選択した場合における２回目の発光動作と同様の緩やかな特性となり、発光波形はピーク波高値の低い発光波形となる。
【００９６】
以降、動作制御手段２０が第２動作状態を選択した場合の本実施の形態においては、第１制御素子５のオフオン動作に応答して上述したような２回目の発光動作と同様の動作が繰返される。
【００９７】
ここで、本実施の形態において、動作制御手段２０が第１動作状態を選択した場合と第２動作状態を選択した場合における初回発光動作と２回目以降の発光動作によって得られる発光波形について詳細に見てみると、２回目以降の発光動作によって得られる発光波形については、両場合共、緩やかな立上り特性を有するピーク波高値の低い等しい発光波形となる。
【００９８】
しかしながら、初回発光動作によって得られる発光波形については、動作制御手段２０が第１動作状態を選択した場合、その２回目以降の発光動作によって得られる発光波形とは大きな差異を有する急峻な立上り特性を有するピーク波高値の高い発光波形となるのに対し、動作制御手段２０が第２動作状態を選択した場合には緩やかな立上り特性を有するピーク波高値の低い発光波形となる。
【００９９】
すなわち、動作制御手段２０が第２動作状態を選択した場合、初回あるいは２回目以降のいずれの発光動作においても、その発光波形を緩やかな立上り特性を有するピーク波高値の低い発光波形に制御でき、さらにその発光波形自体も互いに略等しい発光波形に制御されることが本願出願人において確認できている。
【０１００】
したがって、動作制御手段２０が第２動作状態を選択した本実施の形態によれば、例えば高速繰返し発光動作による各回発光を光通信用の信号光として使用するような場合においても、各回発光の発光波形を発光光量にバラツキが発生しない略等しい発光波形とできることから、当該信号光を受光するための受光動作を安定して行うことができる。
【０１０１】
以上述べてきたように、本実施の形態は、閃光管の初回発光動作を、トリガ電圧の印加動作と閃光管の両端電位の昇圧動作による発光開始動作によって急峻な立上り特性を有しピーク波高値の高い発光動作とする動作状態と、トリガ電圧の印加動作のみで閃光管の両端電位の昇圧動作を行わない閃光管の発光開始動作を抑制した状態での発光動作として当該初回発光動作によって得られる発光の発光波形の立上り特性を抑制してピーク波高値を低下させ、これにより、当該初回発光動作時に得られる発光の発光波形を、２回目以降の緩やかな立上り特性を有しピーク波高値の低い発光波形と略等しい発光波形となるように制御した動作状態とを選択設定できるようになしたものである。
【０１０２】
【発明の効果】
本出願の請求項１〜４に係る発明によれば、高速繰り返し発光動作時における初回発光開始動作を抑制した状態で行うことにより、初回発光動作と２回目以降の発光動作による発光波形を発光光量にバラツキが発生しない発光特性の略等しい発光波形とすることができる。
【０１０３】
したがって、高速繰返し発光動作時の各回発光を光通信用信号光として使用するような場合においても、当該信号光を受光するための受光構成を容易に構成することができる。
【０１０４】
本出願に係る請求項５〜８に係る発明によれば、閃光管の初回発光開始動作を、抑制せずに、すなわち閃光管の両端電位をメインコンデンサの充電電圧以上の値に昇圧する昇圧動作を初回発光動作から行う非抑制動作状態か、あるいは抑制して上記昇圧動作を初回発光動作時には行わずに２回目の発光動作以降にのみ行う抑制動作状態かを選択設定できることから、抑制状態を選択設定することにより、初回発光動作と２回目以降の発光動作による発光波形を発光光量にバラツキが発生しない略等しい発光波形とできることから、例えば高速繰返し発光動作時の各回発光を光通信用信号光として使用するような場合においても、当該信号光を受光するための受光構成を容易に構成することができ、したがって、高速繰返し発光動作時の各回発光を光通信用信号光として容易に使用できる閃光装置を提供できる効果を有している。
【図面の簡単な説明】
【図１】本発明による閃光装置の第１の実施の形態の要部電気回路図
【図２】本発明による閃光装置の第２の実施の形態の要部電気回路図
【図３】図２の閃光装置の波形図を示し、（ａ）は例えばカメラ等から供給される発光起動信号を示す波形図、（ｂ）は図２の第１制御素子５の動作状態を示す波形図、（ｃ）は図２の第３制御素子１９の動作状態を示す波形図、（ｄ）は図２の電圧加算用コンデンサ１６の充電状態を示す波形図である。
【図４】従来の閃光装置の要部電気回路図
【符号の説明】
１  直流高圧電源
２  メインコンデンサ
３  閃光管
４  第１ダイオード
５  第１制御素子
６  発光制御回路
７  抵抗
８  トリガコンデンサ
９  トリガトランス
１１  ダイオード
１２  抵抗
１３  抵抗
１４  抵抗
１５  第２制御素子
１６  電圧加算用コンデンサ
１７  第２ダイオード
１８  抵抗
１９  第３制御素子
２０  動作制御手段
２１  抵抗
２２  スイッチ素子
２３  駆動制御回路
２４  抵抗
【図１】
0004020516.tif 000002
【図２】
0004020516.tif 000003
【図３】
0004020516.tif 000004
【図４】
0004020516.tif 000005